(57)【要約】【課題】必要に応じムービーのように使用できるようにする。【解決手段】第１筐体１と、第２筐体２と、その両筐体１・２を重ねて折り畳んだ状態から相対的に移動させて第１方向に開放させる第１回転軸（１１）と、同じく前記第１方向と異なる第２方向に移動させて開放させる第２回転軸（１２）と、両回転軸（１１・１２）を収納するとともに、入力部７を収納する第３筐体３と、を備える。そして、第１筐体１と第２筐体２を前記第１方向に開放させた場合は、第３筐体３が第２筐体２とともに移動し、第１筐体１と第２筐体２を前記第２方向に開放させた場合には、第３筐体３が第１筐体１とともに移動する。具体的には、入力部７は撮影部であり、第１筐体１に操作部（４）を備えて、第２筐体２に表示部（５）を備える。【選択図】図４
2010258943.tif 000002
【特許請求の範囲】
【請求項１】
第１筐体と、
第２筐体と、
前記第１筐体と第２筐体とを重ねて折り畳んだ状態から相対的に移動させて第１方向に開放させる第１回転軸と、
前記第１筐体と第２筐体とを重ねて折り畳んだ状態から相対的に移動させて前記第１方向と異なる第２方向に開放させる第２回転軸と、
前記第１回転軸と第２回転軸とを収納するとともに、入力部を収納する第３筐体と、を備え、
前記第１筐体と第２筐体を前記第１方向に開放させた場合は、前記第３筐体が前記第２筐体とともに移動し、
前記第１筐体と第２筐体を前記第２方向に開放させた場合には、前記第３筐体が前記第１筐体とともに移動することを特徴とする筐体構造。
【請求項２】
前記第１方向は縦方向で、前記第２方向は横方向であることを特徴とする請求項１に記載の筐体構造。
【請求項３】
前記第１筐体と第２筐体を前記横方向に開放させた場合には、前記第２筐体だけを回転させて前記第３筐体は前記第１筐体側に重ねて折り畳んだ状態のままとすることを特徴とする請求項２に記載の筐体構造。
【請求項４】
前記入力部は撮影部であることを特徴とする請求項１から３のいずれか一項に記載の筐体構造。
【請求項５】
前記第１筐体に操作部を備えて、前記第２筐体に表示部を備えることを特徴とする請求項４に記載の筐体構造。
【請求項６】
前記第１回転軸及び第２回転軸は前記第３筐体のフレームに組み付けられ、
前記第１回転軸に一体の第１取付部材は前記第１筐体に組み付けられて、
前記第２回転軸に一体の第２取付部材は前記第２筐体に組み付けられることを特徴とする請求項１から５のいずれか一項に記載の筐体構造。
【請求項７】
前記第１回転軸は前記フレームの左右に一対備えられることを特徴とする請求項６に記載の筐体構造。
【請求項８】
前記第１筐体内に一端を固定されて前記第３筐体内に他端が固定される第１配線を前記第１回転軸の中空部内に通し、
前記第１筐体内に一端を固定されて前記第２筐体内に他端が固定される第２配線を前記第１回転軸の中空部内に通して前記第２回転軸の中空部内に通したことを特徴とする請求項１から７のいずれか一項に記載の筐体構造。
【請求項９】
前記第１回転軸及び第２回転軸の一方の回転軸の回転に対応して他方の回転軸の回転を規制する規制部を設けたことを特徴とする請求項１から８のいずれか一項に記載の筐体構造。
【請求項１０】
前記第１筐体と第２筐体及び第３筐体とを開閉する際の衝撃を緩衝する緩衝材を設けたことを特徴とする請求項１から９のいずれか一項に記載の筐体構造。
【請求項１１】
前記第１筐体に対し第２筐体及び第３筐体を縦方向に開放した際の前記緩衝材を前記第３筐体に設けたことを特徴とする請求項１０に記載の筐体構造。
【請求項１２】
前記第２筐体の第３筐体側の端部に発光部を設けたことを特徴とする請求項１から１１のいずれか一項に記載の筐体構造。
【請求項１３】
前記発光部の近傍にロゴピースを設け、このロゴピースの下側にＬＥＤ光源を配置し、このＬＥＤ光源から前記発光部まで光を導く導光部材を設けたことを特徴とする請求項１２に記載の筐体構造。
【請求項１４】
前記第１筐体の第３筐体と反対側で前記操作部の近傍に発光部を設けたことを特徴とする請求項５から１３のいずれか一項に記載の筐体構造。
【請求項１５】
前記操作部のキーの近傍の下側にＬＥＤ光源を配置し、このＬＥＤ光源から前記発光部まで光を導く導光部材を設けたことを特徴とする請求項１４に記載の筐体構造。
【請求項１６】
請求項１から１５のいずれか一項に記載の筐体構造を備えることを特徴とする携帯機器。
【発明の詳細な説明】
【技術分野】
【０００１】
本発明は、２軸ヒンジによる筐体構造と、その筐体構造を備える携帯機器に関する。
【背景技術】
【０００２】
操作部を有する本体部と、表示部を有する蓋部と、カメラを内蔵した連結部とからなり、本体部と蓋部とを連結部で連結するとともに、本体部と蓋部とを相対的にスライドさせることで連結部を回転するようにした携帯機器が特許文献１に開示される。
【先行技術文献】
【特許文献】
【０００３】
【特許文献１】特開２００５−１４３０００号公報
【発明の概要】
【発明が解決しようとする課題】
【０００４】
ところで、動画の撮影時などには、ムービーの使用形態と同様に、表示画面を横長で見ながら撮影をしたいが、特許文献１の表示部では縦長画面のため、その縦長画面の中で横長表示に切替制御すると表示が小さくなってしまう。
【０００５】
本発明の課題は、必要に応じムービーのように使用できるようにすることである。
【課題を解決するための手段】
【０００６】
以上の課題を解決するため、請求項１に記載の発明は、第１筐体と、第２筐体と、前記第１筐体と第２筐体とを重ねて折り畳んだ状態から相対的に移動させて第１方向に開放させる第１回転軸と、前記第１筐体と第２筐体とを重ねて折り畳んだ状態から相対的に移動させて前記第１方向と異なる第２方向に移動させて開放させる第２回転軸と、前記第１回転軸と第２回転軸とを収納するとともに、入力部を収納する第３筐体と、を備え、前記第１筐体と第２筐体を前記第１方向に開放させた場合は、前記第３筐体が前記第２筐体とともに移動し、前記第１筐体と第２筐体を前記第２方向に開放させた場合には、前記第３筐体が前記第１筐体とともに移動する筐体構造を特徴とする。
【０００７】
請求項２に記載の発明は、請求項１に記載の筐体構造であって、前記第１方向は縦方向で、前記第２方向は横方向であることを特徴とする。
【０００８】
請求項３に記載の発明は、請求項２に記載の筐体構造であって、前記第１筐体と第２筐体を前記横方向に開放させた場合には、前記第２筐体だけを回転させて前記第３筐体は前記第１筐体側に重ねて折り畳んだ状態のままとすることを特徴とする。
【０００９】
請求項４に記載の発明は、請求項１から３のいずれか一項に記載の筐体構造であって、前記入力部は撮影部であることを特徴とする。
【００１０】
請求項５に記載の発明は、請求項４に記載の筐体構造であって、前記第１筐体に操作部を備えて、前記第２筐体に表示部を備えることを特徴とする。
【００１１】
請求項６に記載の発明は、請求項１から５のいずれか一項に記載の筐体構造であって、前記第１回転軸及び第２回転軸は前記第３筐体のフレームに組み付けられ、前記第１回転軸に一体の第１取付部材は前記第１筐体に組み付けられて、前記第２回転軸に一体の第２取付部材は前記第２筐体に組み付けられることを特徴とする。
【００１２】
請求項７に記載の発明は、請求項６に記載の筐体構造であって、前記第１回転軸は前記フレームの左右に一対備えられることを特徴とする。
【００１３】
請求項８に記載の発明は、請求項１から７のいずれか一項に記載の筐体構造であって、前記第１筐体内に一端を固定されて前記第３筐体内に他端が固定される第１配線を前記第１回転軸の中空部内に通し、前記第１筐体内に一端を固定されて前記第２筐体内に他端が固定される第２配線を前記第１回転軸の中空部内に通して前記第２回転軸の中空部内に通したことを特徴とする。
【００１４】
請求項９に記載の発明は、請求項１から８のいずれか一項に記載の筐体構造であって、前記第１回転軸及び第２回転軸の一方の回転軸の回転に対応して他方の回転軸の回転を規制する規制部を設けたことを特徴とする。
【００１５】
請求項１０に記載の発明は、請求項１から９のいずれか一項に記載の筐体構造であって、前記第１筐体と第２筐体及び第３筐体とを開閉する際の衝撃を緩衝する緩衝材を設けたことを特徴とする。
【００１６】
請求項１１に記載の発明は、請求項１０に記載の筐体構造であって、前記第１筐体に対し第２筐体及び第３筐体を縦方向に開放した際の前記緩衝材が前記第３筐体に設けられていることを特徴とする。
【００１７】
請求項１２に記載の発明は、請求項１から１１のいずれか一項に記載の筐体構造であって、前記第２筐体の第３筐体側の端部に発光部を設けたことを特徴とする。
【００１８】
請求項１３に記載の発明は、請求項１２に記載の筐体構造であって、前記発光部の近傍にロゴピースを設け、このロゴピースの下側にＬＥＤ光源を配置し、このＬＥＤ光源から前記発光部まで光を導く導光部材を設けたことを特徴とする。
【００１９】
請求項１４に記載の発明は、請求項５から１３のいずれか一項に記載の筐体構造であって、前記第１筐体の第３筐体と反対側で前記操作部の近傍に発光部を設けたことを特徴とする。
【００２０】
請求項１５に記載の発明は、請求項１４に記載の筐体構造であって、前記操作部のキーの近傍の下側にＬＥＤ光源を配置し、このＬＥＤ光源から前記発光部まで光を導く導光部材を設けたことを特徴とする。
【００２１】
請求項１６に記載の発明は、請求項１から１５のいずれか一項に記載の筐体構造を備える携帯機器を特徴とする。
【発明の効果】
【００２２】
本発明によれば、必要に応じムービーのように使用することができる。
【図面の簡単な説明】
【００２３】
【図１】本発明を適用した携帯機器の一実施形態の構成を示すもので、携帯電話の折り畳み状態を示した斜視図である。
【図２】図１の携帯電話を縦方向に開放した状態を示した斜視図である。
【図３】図１の携帯電話を横方向に開放した状態を示した斜視図である。
【図４】図１の携帯電話のムービースタイル状態を示した斜視図である。
【図５】図１の折り畳み状態でのヒンジユニットを示した図である。
【図６】図１の折り畳み状態での配線の仕方を示した図である。
【図７】図５のヒンジユニットと図６の配線を組み合わせた拡大斜視図である。
【図８】図７のヒンジユニットの折り畳み状態に対応した斜視図である。
【図９】図８のヒンジユニットの規制部の拡大図である。
【図１０】図８のヒンジユニットの規制部を反対側から見た図である。
【図１１】図１０の規制部の規制解除時を示した拡大図である。
【図１２】図１０の規制部の規制作動時を示した拡大図である。
【図１３】図１の折り畳み状態の携帯電話を他端側から見た拡大図である。
【図１４】図１３の第３筐体及びバンパーの分解斜視図である。
【図１５】図１４のバンパー組み付け部の側面に組み込まれるスイッチ等の分解斜視図である。
【図１６】図２の縦方向開放状態での画面とカメラの方向を示した図である。
【図１７】図１６と反対側から見た図である。
【図１８】図１６と反対側でバンパー部も示した図である。
【図１９】図１８のバンパー部の拡大図である。
【図２０】図１３の第１筐体側にバンパーを設ける例を示した図である。
【図２１】図８のヒンジユニットの縦方向開放状態に対応した図である。
【図２２】図２１の規制部の拡大図である。
【図２３】図３の横方向開放状態でのブックスタイルを示した図である。
【図２４】図８のヒンジユニットのブックスタイルに対応した図である。
【図２５】図２４の規制部の拡大図である。
【図２６】図４のムービースタイルでの画面とカメラの方向を示した図である。
【図２７】図２６の上方向から見た平面図である。
【図２８】図２６のムービースタイルでの反対側から見た持ち方を示した図である。
【図２９】図８のヒンジユニットのムービースタイルに対応した図である。
【図３０】図２９の規制部の拡大図である。
【図３１】図１の折り畳み状態の着信ランプ及びロゴピースを示した図である。
【図３２】図３１の矢印Ｃ−Ｃ線に沿った拡大断面図である。
【図３３】図３２の導光ピースの光の道筋を示した図である。
【図３４】図３１の着信ランプ及びロゴピースの照光共有例を示した図である。
【図３５】図３１の着信ランプ及びケース前面の照光共有例を示した図である。
【図３６】図３１の着信ランプ及びフラッシュライトの照光共有例を示した図である。
【図３７】図２の通常オープンスタイルの充電ランプを示した図である。
【図３８】図３７の矢印Ｄ−Ｄ線に沿った拡大断面図である。
【図３９】図３８の導光ピースの光の道筋を示した図である。
【図４０】図３７の導光ピース及びその近傍の照光共有例を示した図である。
【図４１】変形例の携帯電話を示すもので、ムービースタイル状態を示した斜視図である。
【図４２】図４１のムービースタイルでのハイアングル状態を示した図である。
【発明を実施するための形態】
【００２４】
以下、図を参照して本発明を実施するための形態を詳細に説明する。
（実施形態）
図１から図４は本発明を適用した携帯機器の一実施形態の構成として携帯電話を示したもので、１は第１筐体、２は第２筐体、３は第３筐体、４は操作部、５は表示部、６はアンテナ、７は入力部（撮影部）、８は照明部である。
【００２５】
携帯電話は、図示のように、第１筐体１と第２筐体２と第３筐体３は後述する２軸ヒンジユニット１０を介して結合されている。第１筐体１には操作部４が設けられ、第２筐体２には表示部５及びアンテナ６が設けられ、第３筐体３には入力部としてのムービー撮影用の撮影部７及び照明部８が設けられている。
【００２６】
図５及び図８は第３筐体３の内部に組み込まれる２軸ヒンジユニット１０を示したもので、１１は第１回転軸、１２は第２回転軸、１３は第３筐体３のフレーム、２１は第１取付部材、２２は第２取付部材である。
【００２７】
２軸ヒンジユニット１０は、図示のように、左右一対の第１回転軸１１と、右側の第２回転軸１２と、中央の第３筐体３のフレーム１３と、第１回転軸１１の各々に設けた左右一対の第１取付部材２１と、第２回転軸１２に設けた第２取付部材２２とから構成される。
【００２８】
すなわち、第１回転軸１１は、軸線を左右方向に向けた中空状のもので、フレーム１３の左右両側面にネジ止め固定したブラケット１４の下部に軸受部材を介して各々回転自在に一体化されている。この第１回転軸１１には、その軸線に対し直交方向に延びて第１筐体１の内部にネジ止め固定されるアーム状の第１取付部材２１が各々圧入嵌合して一体化されている。この第１取付部材２１の回転角度は、第１回転軸１１の軸受部材との係合構造により約１８０度等に制限される。なお、図示左側の第１回転軸１１は、９０度等の所定角度に対応するクリック感が得られる軸受部材１５を介してフレーム１３に組み付けられている。
【００２９】
そして、第２回転軸１２は、軸線を前後方向に向けた中空状のもので、フレーム１３の図示右側面のブラケット１４の上部に一体に形成した突出部１６に軸受部材を介して回転自在に一体化されている。この第２回転軸１２には、その軸線に対し直交方向に延びて第２筐体２の内部にネジ止め固定されるアーム状の第２取付部材２２が圧入嵌合して一体化されている。この第２取付部材２２の回転角度は、第２回転軸１２の外周に形成された溝１２ａに突出部１６に設けられた係合片１６ａが係合することで制限される。
【００３０】
図６は第１配線３１及び第２配線３２を示し、図７は２軸ヒンジユニット１０と第１配線３１及び第２配線３２を組み合わせた図である。
【００３１】
すなわち、第１配線３１は、第１筐体１内の基板に接続されるコネクタ３１ａを一端に備えて第３筐体３内の基板に接続されるコネクタ３１ｃを他端に備えるもので、図７において右側の第１回転軸１１の中空部内に通されている。
【００３２】
そして、第２配線３２は、第１筐体１内の基板に接続されるコネクタ３２ａを一端に備えて第２筐体２内の基板に接続されるコネクタ３２ｂを他端に備えるもので、図７において右側の第１回転軸１１の中空部内に通して第２回転軸１２の中空部内に通されている。
【００３３】
また、第１筐体１内の基板に接続される端子３３ａを一端に備えて第２筐体２内の基板に接続される端子３３ｂを他端に備えるアンテナ線３３も、第２配線３２と同様に、図７において右側の第１回転軸１１の中空部内に通して第２回転軸１２の中空部内に通されている。
【００３４】
図９は２軸ヒンジユニット１０の規制部を拡大したもので、図１０は図８の２軸ヒンジユニット１０の規制部を反対側から見た図であり、１７は規制プレート、１８はピン、１９はカムである。
【００３５】
図示のように、規制プレート１７は、ブラケット１４の上部で突出部１６の側面に、第２回転軸１２と平行するピン１８により揺動可能に組み付けられたベルクランク状のものである。この規制プレート１７、その下端部が第１回転軸１１の端部外周に形成したカム１９に当接して、側方端部が第２回転軸１２の端部外周に形成したカム２９に当接している。
【００３６】
第１回転軸１１の端部外周のカム１９は、図１１及び図１２にも示すように、第１回転軸１１の半周強に形成した小径部１９ａと、同じく半周弱に形成した大径部１９ｂと、その大径部１９ｂの中間部に形成した切り欠き部１９ｃとから構成されている。
【００３７】
第２回転軸１２の端部外周のカム２９は、第２回転軸１２の端部外周に形成した凹凸部により構成されている。
【００３８】
規制プレート１７は、その側方端部が第２回転軸１２の端部外周の凹凸部によるカム２９に当接している間は、図１１に示すように、下端部が第１回転軸１１の端部外周のカム１９から側方に離間して、第１回転軸１１の回転を許容する。
【００３９】
また、規制プレート１７は、側方端部が第２回転軸１２の端部外周に当接している間であって、下端部が第１回転軸１１の端部外周のカム１９の小径部１９ａと大径部１９ｂとの段差部に突き当たっている状態と、図１２に示すように、切り欠き部１９ｃに嵌まり込んだ状態では、第１回転軸１１の回転を規制する。
【００４０】
図１３は図１の折り畳み状態の携帯電話を他端側から見て拡大したもので、第３筐体３は下ケース３４及び上ケース３５から構成されていて、上ケース３５より幅狭の下ケース３４は第１筐体１の端部に形成した凹所１ａに位置している。この下ケース３４と第１筐体１の凹所１ａの両側に位置する突出部１ｂとの間に第１回転軸１１が貫通して、これにより、第３筐体３は第１筐体１に対し第１回転軸１１を中心に縦方向に開閉可能である。
【００４１】
また、図示のように、折り畳み状態において、上ケース３５は第２筐体２の延長上に位置している。この上ケース３５と第２筐体２との一側部の間に第２回転軸１２が貫通して、これにより、第２筐体２は第３筐体３に対し一側部の第２回転軸１２を中心に横方向に開閉可能である。
【００４２】
そして、下ケース３４の上部左右には、図１４に示すように、上ケース３５の開放部を閉じる突出部３４ａが形成されており、この突出部３４ａの下面にゴム等の柔らかい材質の緩衝材によるバンパー２３が設けられている。なお、下ケース３４の側面には第１回転軸１１が突出する穴３４ｂが形成されている。また、バンパー２３は、突出部３４ａに形成された貫通穴３４ｃの目隠しも兼ねている。
【００４３】
さらに、下ケース３４の突出部３４ａと上ケース３５の側面との間に、ロック解除ボタン２４が組み付けられている。このロック解除ボタン２４は、図１５に示すように、突出部３４ａの上にスライド自在に組み付けられるロック爪２５と係合している。このロック爪２５は、コイルバネ２６により第３筐体３の端面から突出する方向に付勢されて、第２筐体２の端面に形成された凹部（不図示）に係合する。なお、前記貫通穴３４ｃは、コイルバネ２６を組み込むためのスリット３４ｄを、下ケース３４の樹脂成形時に下金型に設けた突起部により形成するために残るものである。
【００４４】
先ず、図１及び図１３は第１筐体１上に第１筐体２及び第３筐体３を重ねて折り畳んだ状態を示したもので、図８はその折り畳み状態に対応した２軸ヒンジユニット１０を示したものである。すなわち、フレーム１３から第１取付部材２１及び第２取付部材２２は同一方向に平行に向いている。
【００４５】
このとき、規制プレート１７は、その側方端部が第２回転軸１２の端部外周の凹凸部によるカム２９に当接して、図９に示すように、下端部が第１回転軸１１の端部外周のカム１９の大径部１９ｂから側方に離間していて、第１回転軸１１の回転は許容される。また、第２回転軸１２の回転も許容される。
【００４６】
次に、図２及び図１６から図１８は第１筐体１に対し第２筐体２及び第３筐体３を、第１回転軸１１を中心に縦方向に開放した通常オープンスタイルを示したもので、図１６及び図１７において、矢印Ａで示す方向は撮影部７の向きを示し、矢印Ｂで示す方向は表示部５の画面の向きを示している。そして、図２１はその通常オープンスタイルに対応した２軸ヒンジユニット１０を示したものである。すなわち、フレーム１３に対し第１取付部材２１と第２取付部材２２が互いに反対方向に向いている。
【００４７】
このとき、規制プレート１７は、図２２に示すように、その下端部が第１回転軸１１の端部外周のカム１９の大径部１９ｂから側方に離間していて、図１０に示したように、側方端部が第２回転軸１２の端部外周の凹凸部によるカム２９に当接していることから、第２回転軸１２の回転は規制される。
【００４８】
以上の通常オープンスタイルにおいて、第１筐体１に対し第２筐体２及び第３筐体３を、第１回転軸１１を中心に縦方向に開く際に、図１９に拡大して示したように、バンパー２３は、第１筐体１の突出部１ｂの背面に当接して衝撃を緩衝する。
このように、通常オープンスタイルで緩衝するバンパー２３は、デザイン性を考慮し、折り畳み状態において第３筐体３の内側面に設けられて外観から見えない位置に配置されており、且つ、第３筐体３の下ケース３４の突出部３４ａにある、成形金型の構造上必要ない貫通穴３４ｃの目隠しも兼用している。
【００４９】
なお、図２０に示すように、第１筐体１の突出部１ｂの背面にバンパー（緩衝材）２７を設けてもよい。このバンパー２７は、携帯電話を縦方向に開く際に第３筐体３に当接して衝撃を緩衝したり、携帯電話を机等に置く際に衝撃を緩衝するもので、さらに、第１筐体１を構成する下ケース及び上ケースを合体固定するネジを隠すネジ隠しも兼用する。
【００５０】
次に、図３及び図２３は第１筐体１及び第３筐体３に対し第２筐体２を、第２回転軸１２を中心に横方向に開放して表示部５を横長としたブックスタイルを示したもので、図２４はそのブックスタイルに対応した２軸ヒンジユニット１０を示したものである。すなわち、折り畳み状態時におけるフレーム１３及び第１取付部材２１に対し第２取付部材２２が一側方に向いている。
【００５１】
このとき、規制プレート１７は、その側方端部が第２回転軸１２の端部外周に当接していて、図２５に示すように、下端部が第１回転軸１１の端部外周のカム１９の小径部１９ａと大径部１９ｂとの段差部に当接していることから、第１回転軸１１の回転は規制される。
【００５２】
次に、図４及び図２６から図２８は第１筐体１に対し第２筐体２及び第３筐体３を、第１回転軸１１を中心に９０度回転して表示部５を横長としたムービースタイルを示したもので、図２６及び図２７において、矢印Ａで示す方向は撮影部７の向きを示し、矢印Ｂで示す方向は表示部５の画面の向きを示している。そして、図２９はそのムービースタイルに対応した２軸ヒンジユニット１０を示したものである。すなわち、折り畳み状態時におけるフレーム１３及び第２取付部材２２に対し第１取付部材２１が直角方向に向いている。
【００５３】
このとき、規制プレート１７は、図３０に示すように、その下端部が第１回転軸１１の端部外周のカム１９の大径部１９ｂの切り欠き部１９ｃから離間していることから、第２回転軸１２の回転は許容される。従って、第３筐体３に対し第２筐体２の表示部５の角度が変化できる。
【００５４】
そして、ムービースタイル時においては、図２６から図２８に示すように、第１筐体１の上面で第３筐体３に近い部分に設けたシャッターキー４１及びズームキー４２と、同じく第１筐体１の内側面で操作部４の上側に並んだサブメニューキー４３、画面表示切替キー４４、Ａ−ＭＡＴ（音声ズーム）ON/OFFキー４５、顔ピタON/OFFキー４６、逆光補正キー４７、ホワイトバランスキー４８及び秒撮キー４９が使用される。
【００５５】
なお、サブメニューキー４３、画面表示切替キー４４、Ａ−ＭＡＴ（音声ズーム）ON/OFFキー４５、顔ピタON/OFFキー４６、逆光補正キー４７、ホワイトバランスキー４８及び秒撮キー４９の上に沿った部分には、その旨印刷表示されている。
【００５６】
また、第１筐体１の内側面で操作部４の前後には上下方向に沿ってバンパー５１・５２が設けられている。このバンパー５１・５２は、第１筐体１に対し第２筐体２及び第３筐体３を折り畳む際の衝撃を緩衝するもので、さらに、第１筐体１を構成する下ケース及び上ケースを合体固定するネジを隠すネジ隠しも兼用する。
【００５７】
以上のムービースタイルにおいて、図２８に仮想線で示したように、親指をバンパー５１に沿わせて、ズームキー４２に人差し指を、さらにシャッターキー４１に中指をそれぞれ沿わせて右手で持つことができ、すなわち、右手で持ち易いグリップ感を具備したムービースタイルを実現できる。この場合、第３筐体３に近い側のバンパー５１の表面には、親指に対し滑り止めとして機能するシボ加工が施されている。
【００５８】
なお、第１筐体１のホワイトバランスキー４８の上方に離間した部分にマイク穴５３が設けられている。また、第２筐体２の表示部５と反対側の前面部の上部には左右一対のマイク穴５４が設けられている。
【００５９】
次に、以上のムービースタイル時において、撮像部７を有する第３筐体３に対し表示部５を有する第２筐体２を、上部の第２回転軸１２を中心に向こう側に回転すると、表示部５を下から見上げる斜め角度のハイアングルでムービー撮影時のファインダーとして見ることができる。また、第２筐体２を手前側に若干回転すると、表示部５を上から見下ろす斜め角度のローアングルでファインダーとして見ることができる。
【００６０】
そして、第２筐体２を第３筐体３に対し上部の第２回転軸１２を中心に手前側に回転すると、図１２に示すように、規制プレート１７の下端部が第１回転軸１１の端部外周のカム１９の大径部１９ｂの切り欠き部１９ｃに入り込む。これにより、第１回転軸１１の回転が規制される。
【００６１】
以上において、ブックスタイル時には、図３及び図２３に示したように、サブメニューキー４３、画面表示切替キー４４、Ａ−ＭＡＴ（音声ズーム）ON/OFFキー４５、顔ピタON/OFFキー４６、逆光補正キー４７、ホワイトバランスキー４８及び秒撮キー４９の上に沿った部分に設けられる印刷表示は第２筐体２により覆われて見辛くなっている。このため、その表示部５の下部に沿ってサブメニューキー４３、画面表示切替キー４４、Ａ−ＭＡＴ（音声ズーム）ON/OFFキー４５、顔ピタON/OFFキー４６、逆光補正キー４７、ホワイトバランスキー４８及び秒撮キー４９に対応した表示がなされる。
【００６２】
また、折り畳み状態では、図８に示したように、２軸ヒンジユニット１０のフレーム１３から第１取付部材２１及び第２取付部材２２が同一方向に平行に向いており、第１筐体１と第２筐体２に対するネジ止め部が上下に位置するため、初期の重ねた際の両筐体１・２のズレを、組立工程の最後にチューニング（あるいはリペア）しやすいように工夫がなされている。
【００６３】
次に、図３１は図１の折り畳み状態の着信ランプ５５及びロゴピース５６を示したもので、第２筐体２には、折り畳み状態で上面に位置する着信ランプ５５と図示では長円形に略したロゴピース５６が設けられている。
【００６４】
図３２は図３１の矢印Ｃ−Ｃ線に沿った拡大断面を示したもので、着信ランプ５５は第２筐体２の上ケース端部に設けるカバー５７との間にスリット状に形成される。すなわち、遮光部材によるロゴピース５６の下方に３色ＬＥＤ光源５８が配置され、この３色ＬＥＤ光源５８の近傍からカバー５７の下方にかけて導光ピース５９が配置されている。この導光ピース５９の上ケース端部とカバー５７との間に形成されるスリットに位置する部分が着信ランプ５５となる。
【００６５】
図３３は図３２の導光ピース５９の光の道筋を示したもので、着信時に３色ＬＥＤ光源５８の発光は導光ピース５９を通り着信ランプ５５として外部に視認性良く照光される。
【００６６】
図３４は図３１の着信ランプ５５及びロゴピース５６の照光共有例を示したもので、ロゴピース５６を透光部材により形成することで、着信時に着信ランプ５５とともにロゴピース５６も視認性良く照光できる。
【００６７】
図３５は図３１の着信ランプ５５及びケース前面の照光共有例を示したもので、上ケースの前面部を透光部材により形成することで、着信時に着信ランプ５５とともに上ケース前面部も視認性良く照光できる。
【００６８】
図３６は図３１の着信ランプ５５及びフラッシュライト６１の照光共有例を示したもので、カバー５７の中央に着信ランプ５５と隣接してＬＥＤ光源によるフラッシュライト６１を設けることで、着信時に着信ランプ５５の照光と撮影部７のフラッシュライト６１も視認性良く発光でき、また、フラッシュライト６１の発光時に着信ランプも視認性良く照光できる。
【００６９】
次に、図３７は図２の通常オープンスタイルの充電ランプ６２を示したもので、図示のように、第１筐体１には、秒撮キー４９の近傍の上ケースに充電ランプ６２が設けられている。
【００７０】
図３８は図３７の矢印Ｄ−Ｄ線に沿った拡大断面を示したもので、第１筐体１の秒撮キー４９の近傍部内に３色ＬＥＤ光源６３が配置され、この３色ＬＥＤ光源６３の近傍から上方及び側方にかけて導光ピース６４が配置されている。すなわち、この導光ピース６４の上ケース上面及び側面に形成されるスリットに位置する部分が充電ランプ６２となる。
【００７１】
図３９は図３８の導光ピース６４の光の道筋を示したもので、充電時に３色ＬＥＤ光源６３の発光は導光ピース６４を通り充電ランプ６２として外部に視認性良く照光され、また、特殊キーである秒撮キー４９の使用時も充電ランプ６２が外部に視認性良く照光される。これにより、秒撮キー４９が使用中であることが報知される。
【００７２】
また、充電ランプ６２と秒撮キー４９の照光を共用してもよく、そうすれば、充電時に充電ランプ６２とともに秒撮キー４９も視認性良く発光でき、また、秒撮キー４９の使用時に充電ランプ６２とともに秒撮キー４９も視認性良く発光できる。
【００７３】
図４０は図３７の導光ピース６４及びその近傍の照光共有例を示したもので、上ケースの充電ランプ６２の近傍部を透光部材により形成することで、充電時及び秒撮キー４９の使用時に充電ランプ６２及びその近傍部を視認性良く発光できる。
【００７４】
以上、実施形態の携帯電話によれば、操作部４を有する第１筐体１と表示部５を有する第２筐体２とを重ねて折り畳んだ状態から相対的に移動させて縦方向に開放させる第１回転軸１１と、同様に横方向に開放させる第２回転軸１２とを、撮影部７とともに第３筐体３に収納した筐体構造で、第１筐体１と第２筐体２を縦方向に開放させた場合は、第３筐体３が第２筐体２とともに移動し、また、横方向に開放させた場合には、第３筐体３が第１筐体１とともに移動する構成としたことで、必要に応じムービースタイルにして、表示部５の画面を横長で見ながら撮影部７でムービー撮影することができる。
【００７５】
さらに、ムービースタイル時において、撮影部７を有する第３筐体３に対し表示部５を有する第２筐体２を、中央部の第２回転軸１２を中心に回転して、ムービー撮影時のファインダーとしての表示部５を下から見上げる斜め角度のハイアングルとしたり、表示部５を上から見下ろす斜め角度のローアングルとすることもできる。
【００７６】
また、２軸ヒンジユニット１０は、第１回転軸１１及び第２回転軸１２が第３筐体３のフレーム１３に組み付けられ、第１回転軸１１に一体の第１取付部材２１が第１筐体１に組み付けられて、第２回転軸１２に一体の第２取付部材２２が第２筐体２に組み付けられる構成なので、強度的に優れている。
【００７７】
そして、第１筐体１内に一端を固定されて第３筐体３内に他端が固定される第１配線３１を第１回転軸１１の中空部内に通して、第１筐体１内に一端を固定されて第２筐体２内に他端が固定される第２配線３２を第１回転軸１１の中空部内に通して第２回転軸１２の中空部内に通すことで、３つの筐体内の配線をすることができる。
【００７８】
また、第２筐体２の第３筐体３側の端部に着信ランプ５５を設けるとともに、その着信ランプ５５の近傍に設けたロゴピース５６の下側に３色ＬＥＤ光源５８を配置し、この３色ＬＥＤ光源５８から着信ランプ５５まで光を導く導光ピース５９を設けることで、着信時に３色ＬＥＤ光源５８からの発光で着信ランプ５５を視認性良く照光できる。
【００７９】
また、第１筐体１の第３筐体３と反対側で操作部４の秒撮キー４９の近傍に充電ランプ６２を設けて、秒撮キー４９の近傍の下側に３色ＬＥＤ光源６３を配置し、この３色ＬＥＤ光源６３から充電ランプ６２まで光を導く導光ピース６４を設けることで、特殊な秒撮キー４９の使用時に３色ＬＥＤ光源６３からの発光で充電ランプ６２を視認性良く照光できる。
【００８０】
（変形例）
図４１及び図４２は変形例を示したもので、２軸ヒンジユニット１０について、前述した実施形態では、第２回転軸１２を一側部に設けたが、この変形例では、図示のように、第２回転軸１２を中央部に設けて、操作部４を有する第１筐体１に対し第１回転軸１１を中心に直角に撮影部７を向けた第３筐体３に対して、表示部５を有する第２筐体２を中央部の第２回転軸１２を中心に回転自在としたものである。
【００８１】
このような第２回転軸１２を中央部に設けた２軸ヒンジユニット１０としても、図示のように、前述した実施形態と同様のムービースタイルにすることができて、さらに、モニターとしての表示部５の向きをハイアングルやローアングルとすることができる。
【００８２】
（他の変形例）
なお、以上の実施形態においては、携帯電話としたが、本発明はこれに限定されるものではなく、ＰＤＡ、ノートパソコン、ウェアラブルパソコン、電卓、電子辞書などで、カメラを有するもの全ての機器に用いることができる。
また、第３筐体の入力部は撮影部以外にタッチキー、指紋認証部、その他の入力装置であってもよい。
また、筐体の形状等も任意であり、その他、具体的な細部構造等についても適宜に変更可能であることは勿論である。
【符号の説明】
【００８３】
１  第１筐体
２  第２筐体
３  第３筐体
４  操作部
５  表示部
６  アンテナ
７  入力部（撮影部）
８  照明部
１０  ２軸ヒンジユニット
１１  第１回転軸
１２  第２回転軸
１３  フレーム
１４  ブラケット
１５  軸受部材
１６  突出部
１７  規制プレート
１８  ピン
１９  カム
２１  第１取付部材
２２  第２取付部材
２３  緩衝材
２４  ロック解除ボタン
２５  ロック爪
２６  バネ
２７  緩衝材
２９  カム
３１  第１配線
３２  第２配線
３３  アンテナ線
３４  下ケース
３５  上ケース
４１  シャッターキー
４２  ズームキー
４３  サブメニューキー
４４  画面表示切替キー
４５  Ａ−ＭＡＴ（音声ズーム）ON/OFFキー
４６  顔ピタON/OFFキー
４７  逆光補正キー
４８  ホワイトバランスキー
４９  秒撮キー
５１  バンパー
５２  バンパー
５３  マイク穴
５４  マイク穴
５５  着信ランプ
５６  ロゴピース
５７  カバー
５８  ＬＥＤ光源
５９  導光ピース
６１  フラッシュライト
６２  充電ランプ
６３  ＬＥＤ光源
６４  導光ピース
【図１】
2010258943.tif 000003
【図２】
2010258943.tif 000004
【図３】
2010258943.tif 000005
【図４】
2010258943.tif 000006
【図７】
2010258943.tif 000007
【図８】
2010258943.tif 000008
【図９】
2010258943.tif 000009
【図１０】
2010258943.tif 000010
【図１１】
2010258943.tif 000011
【図１２】
2010258943.tif 000012
【図１３】
2010258943.tif 000013
【図１４】
2010258943.tif 000014
【図１５】
2010258943.tif 000015
【図１６】
2010258943.tif 000016
【図１７】
2010258943.tif 000017
【図１８】
2010258943.tif 000018
【図１９】
2010258943.tif 000019
【図２０】
2010258943.tif 000020
【図２１】
2010258943.tif 000021
【図２２】
2010258943.tif 000022
【図２３】
2010258943.tif 000023
【図２４】
2010258943.tif 000024
【図２５】
2010258943.tif 000025
【図２６】
2010258943.tif 000026
【図２７】
2010258943.tif 000027
【図２８】
2010258943.tif 000028
【図２９】
2010258943.tif 000029
【図３０】
2010258943.tif 000030
【図３１】
2010258943.tif 000031
【図３２】
2010258943.tif 000032
【図３３】
2010258943.tif 000033
【図３４】
2010258943.tif 000034
【図３５】
2010258943.tif 000035
【図３６】
2010258943.tif 000036
【図３７】
2010258943.tif 000037
【図３８】
2010258943.tif 000038
【図３９】
2010258943.tif 000039
【図４０】
2010258943.tif 000040
【図４１】
2010258943.tif 000041
【図４２】
2010258943.tif 000042
【図５】
2010258943.tif 000043
【図６】
2010258943.tif 000044
【手続補正書】
【提出日】平成22年7月12日(2010.7.12)
【手続補正１】
【補正対象書類名】特許請求の範囲
【補正対象項目名】全文
【補正方法】変更
【補正の内容】
【特許請求の範囲】
【請求項１】
第１筐体と、
表示部を備える第２筐体と、
前記第１筐体と第２筐体とを重ねて折り畳んだ状態から相対的に移動させて縦方向に開放させる第１回転軸と、
前記第１筐体と第２筐体とを重ねて折り畳んだ状態から相対的に移動させて前記縦方向と異なる横方向に開放させる第２回転軸と、
前記第１回転軸と第２回転軸とを収納するとともに、入力部を収納する第３筐体と、
前記第１回転軸及び第２回転軸の一方の回転軸の回転に対応して他方の回転軸の回転を規制する規制部と、を備え、
前記第１筐体と第２筐体を前記縦方向に開放させた場合は、前記第３筐体が前記第２筐体とともに移動し、
前記第１筐体と第２筐体を前記横方向に開放させた場合には、前記第３筐体は前記第１筐体側に重ねて折り畳んだ状態のままで前記第２筐体だけが回転し、
前記規制部は、前記第１筐体と前記第２筐体とを前記縦方向に開いた場合、所定の角度のときに前記第２回転軸の回転を許容することで前記第２筐体を前記第３筐体に対して回転可能とする、
ことを特徴とする携帯電子機器。
【請求項２】
前記入力部は撮影部であることを特徴とする請求項１に記載の携帯電子機器。
【請求項３】
前記第１筐体は、前記表示部及び前記撮影部に対する指示をユーザが片手で入力可能な位置に設けられた操作部を備えることを特徴とする請求項２に記載の携帯電子機器。
【請求項４】
前記第１回転軸及び第２回転軸は前記第３筐体に内包され前記入力部を収容するフレームに組み付けられ、
前記第１回転軸に一体の第１取付部材は前記第１筐体に組み付けられて、
前記第２回転軸に一体の第２取付部材は前記第２筐体に組み付けられることを特徴とする請求項１から３のいずれか一項に記載の携帯電子機器。
【請求項５】
前記第１回転軸は前記フレームの左右に一対備えられることを特徴とする請求項４に記載の携帯電子機器。
【請求項６】
前記第１筐体内に一端を固定されて前記第３筐体内に他端が固定される第１配線を前記第１回転軸の中空部内に通し、
前記第１筐体内に一端を固定されて前記第２筐体内に他端が固定される第２配線を前記第１回転軸の中空部内に通して前記第２回転軸の中空部内に通したことを特徴とする請求項１から５のいずれか一項に記載の携帯電子機器。
【請求項７】
前記第１筐体と第２筐体及び第３筐体とを開閉する際の衝撃を緩衝する緩衝材を設けたことを特徴とする請求項１から６のいずれか一項に記載の携帯電子機器。
【請求項８】
前記第１筐体に対し第２筐体及び第３筐体を縦方向に開放した際の前記緩衝材を前記第３筐体に設けたことを特徴とする請求項７に記載の携帯電子機器。
【請求項９】
前記第２筐体の第３筐体側の端部に発光部を設けたことを特徴とする請求項１から８のいずれか一項に記載の携帯電子機器。
【請求項１０】
前記発光部の近傍にロゴピースを設け、このロゴピースの下側にＬＥＤ光源を配置し、このＬＥＤ光源から前記発光部まで光を導く導光部材を設けたことを特徴とする請求項９に記載の携帯電子機器。
【請求項１１】
前記第１筐体の第３筐体と反対側で前記操作部の近傍に発光部を設けたことを特徴とする請求項３から１０のいずれか一項に記載の携帯電子機器。
【請求項１２】
前記操作部のキーの近傍の下側にＬＥＤ光源を配置し、このＬＥＤ光源から前記発光部まで光を導く導光部材を設けたことを特徴とする請求項１１に記載の携帯電子機器。
【手続補正３】
【補正対象書類名】明細書
【補正対象項目名】０００１
【補正方法】変更
【補正の内容】
【０００１】
本発明は、２軸ヒンジによる筐体構造を備える携帯電子機器に関する。
【手続補正４】
【補正対象書類名】明細書
【補正対象項目名】０００６
【補正方法】変更
【補正の内容】
【０００６】
以上の課題を解決するため、請求項１に記載の発明は、第１筐体と、表示部を備える第２筐体と、前記第１筐体と第２筐体とを重ねて折り畳んだ状態から相対的に移動させて縦方向に開放させる第１回転軸と、前記第１筐体と第２筐体とを重ねて折り畳んだ状態から相対的に移動させて前記縦方向と異なる横方向に開放させる第２回転軸と、前記第１回転軸と第２回転軸とを収納するとともに、入力部を収納する第３筐体と、前記第１回転軸及び第２回転軸の一方の回転軸の回転に対応して他方の回転軸の回転を規制する規制部と、を備え、前記第１筐体と第２筐体を前記縦方向に開放させた場合は、前記第３筐体が前記第２筐体とともに移動し、前記第１筐体と第２筐体を前記横方向に開放させた場合には、前記第３筐体は前記第１筐体側に重ねて折り畳んだ状態のままで前記第２筐体だけが回転し、前記規制部は、前記第１筐体と前記第２筐体とを前記縦方向に開いた場合、所定の角度のときに前記第２回転軸の回転を許容することで前記第２筐体を前記第３筐体に対して回転可能とする、携帯電子機器を特徴とする。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】変更
【補正の内容】
【０００９】
請求項２に記載の発明は、請求項１に記載の携帯電子機器であって、前記入力部は撮影部であることを特徴とする。
【手続補正８】
【補正対象書類名】明細書
【補正対象項目名】００１０
【補正方法】変更
【補正の内容】
【００１０】
請求項３に記載の発明は、請求項２に記載の携帯電子機器であって、前記第１筐体は、前記表示部及び前記撮影部に対する指示をユーザが片手で入力可能な位置に設けられた操作部を備えることを特徴とする。
【手続補正９】
【補正対象書類名】明細書
【補正対象項目名】００１１
【補正方法】変更
【補正の内容】
【００１１】
請求項４に記載の発明は、請求項１から３のいずれか一項に記載の携帯電子機器であって、前記第１回転軸及び第２回転軸は前記第３筐体に内包され前記入力部を収容するフレームに組み付けられ、前記第１回転軸に一体の第１取付部材は前記第１筐体に組み付けられて、前記第２回転軸に一体の第２取付部材は前記第２筐体に組み付けられることを特徴とする。
【手続補正１０】
【補正対象書類名】明細書
【補正対象項目名】００１２
【補正方法】変更
【補正の内容】
【００１２】
請求項５に記載の発明は、請求項４に記載の携帯電子機器であって、前記第１回転軸は前記フレームの左右に一対備えられることを特徴とする。
【手続補正１１】
【補正対象書類名】明細書
【補正対象項目名】００１３
【補正方法】変更
【補正の内容】
【００１３】
請求項６に記載の発明は、請求項１から５のいずれか一項に記載の携帯電子機器であって、前記第１筐体内に一端を固定されて前記第３筐体内に他端が固定される第１配線を前記第１回転軸の中空部内に通し、前記第１筐体内に一端を固定されて前記第２筐体内に他端が固定される第２配線を前記第１回転軸の中空部内に通して前記第２回転軸の中空部内に通したことを特徴とする。
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】変更
【補正の内容】
【００１５】
請求項７に記載の発明は、請求項１から６のいずれか一項に記載の携帯電子機器であって、前記第１筐体と第２筐体及び第３筐体とを開閉する際の衝撃を緩衝する緩衝材を設けたことを特徴とする。
【手続補正１４】
【補正対象書類名】明細書
【補正対象項目名】００１６
【補正方法】変更
【補正の内容】
【００１６】
請求項８に記載の発明は、請求項７に記載の携帯電子機器であって、前記第１筐体に対し第２筐体及び第３筐体を縦方向に開放した際の前記緩衝材が前記第３筐体に設けられていることを特徴とする。
【手続補正１５】
【補正対象書類名】明細書
【補正対象項目名】００１７
【補正方法】変更
【補正の内容】
【００１７】
請求項９に記載の発明は、請求項１から８のいずれか一項に記載の携帯電子機器であって、前記第２筐体の第３筐体側の端部に発光部を設けたことを特徴とする。
【手続補正１６】
【補正対象書類名】明細書
【補正対象項目名】００１８
【補正方法】変更
【補正の内容】
【００１８】
請求項１０に記載の発明は、請求項９に記載の携帯電子機器であって、前記発光部の近傍にロゴピースを設け、このロゴピースの下側にＬＥＤ光源を配置し、このＬＥＤ光源から前記発光部まで光を導く導光部材を設けたことを特徴とする。
【手続補正１７】
【補正対象書類名】明細書
【補正対象項目名】００１９
【補正方法】変更
【補正の内容】
【００１９】
請求項１１に記載の発明は、請求項３から１０のいずれか一項に記載の携帯電子機器であって、前記第１筐体の第３筐体と反対側で前記操作部の近傍に発光部を設けたことを特徴とする。
【手続補正１８】
【補正対象書類名】明細書
【補正対象項目名】００２０
【補正方法】変更
【補正の内容】
【００２０】
請求項１２に記載の発明は、請求項１１に記載の携帯電子機器であって、前記操作部のキーの近傍の下側にＬＥＤ光源を配置し、このＬＥＤ光源から前記発光部まで光を導く導光部材を設けたことを特徴とする。
【手続補正１９】
【補正対象書類名】明細書
【補正対象項目名】００２１
【補正方法】削除
【補正の内容】